(57)【要約】本発明は、少なくとも：付け爪（１）の本体を形成する１つの表層（１２）、および付け爪の本体を自然の爪に取り付ける接着材料からなる裏層（１１）を備える付け爪に関する。裏層（１１）は、乾燥能力を有する速乾性ポリマー接着剤によって形成され、表層（１２）は、複合材料でできており、かつ、ポリマー接着剤と接触し、低収縮能力を有するマイクロ−ハイブリッド型複合材からなる少なくとも第１層（１２ａ）を備える。本発明は、自然の爪の上に付け爪を成形する方法、および自然の爪の上に付け爪を成形する複合材料の使用方法にも関する。【選択図】図２
2020509900.tif 000002
【特許請求の範囲】
【請求項１】
少なくとも、付け爪（１）の本体を形成する１つの表層（１２）と、自然の爪に前記付け爪の前記本体を取り付ける接着材料からなる裏層（１１）とを備える付け爪であって、前記裏層（１１）は、乾燥能力を有する耐水性ポリマー接着剤によって形成され、前記付け爪（１）の前記表層（１２）は、複合材料でできており、前記ポリマー接着剤と接触している、少なくとも低収縮能力を有するマイクロ−ハイブリッド型複合材からなる第１層（１２ａ）を備えることを特徴とする付け爪。
【請求項２】
前記付け爪（１）の前記表層（１２）は、マイクロ−ハイブリッド型またはナノ−ハイブリッド型液状、または、ペースト状複合体からなる第２層（１２ｂ）を備える、請求項１に記載の付け爪。
【請求項３】
前記付け爪（１）の前記表層（１２）の前記第２層（１２ｂ）を構成する前記複合体は、着色したマイクロ−ペースト状複合体である、請求項２に記載の付け爪。
【請求項４】
前記ポリマー接着剤は、ベンゼン基を含有する芳香族ジアクリレートおよび脂肪族ジアクリレートの混合物である、請求項１、２または３に記載の付け爪。
【請求項５】
前記ポリマー接着剤は、約２０秒の乾燥時間を有する、請求項１〜４のうちいずれか一項に記載の付け爪。
【請求項６】
前記ポリマー接着剤は、光重合接着剤である、請求項１〜５のうちいずれか一項に記載の付け爪。
【請求項７】
前記マイクロ−ハイブリッド型複合材は、光重合接着剤である、請求項１〜６のうちいずれか一項に記載の付け爪。
【請求項８】
自然の爪の上に前記付け爪を成形する方法であって、
−乾燥能力を有して、前記付け爪（１）の前記裏層（１１）を形成する爪（Ｕ）への耐水性ポリマー接着剤の塗布と；
−前記付け爪（１）の表層（１２）の一部を形成するポリマー接着剤からなる前記裏層（１１）へのマイクロ−ハイブリッド型複合材からなる少なくとも１つの第１層（１２ａ）の塗布と；
−複合材料からなる前記第１層（１２ａ）の前記光重合とを含むことを特徴とする自然の爪の上に付け爪を成形する方法。
【請求項９】
前記方法は、やすり掛けによってカバーされる前記自然の爪（Ｕ）の表面の前処理から始める、請求項８に記載の自然の爪の上に付け爪を成形する方法。
【請求項１０】
マイクロ−ハイブリッド型またはナノ−ハイブリッド型液状、または、ペースト状複合体からなる第２層（１２ｂ）は、前記第１層（１２ａ）に塗布され、その後光硬化される、請求項８または９に記載の自然の爪の上に付け爪を成形する方法。
【請求項１１】
前記付け爪（１）の前記表層（１２）は、やすり掛け、艶出し、および／または表面ペインティングによって仕上げられる、請求項８、９または１０に記載の自然の爪の上に付け爪を成形する方法。
【請求項１２】
前記ポリマー接着剤は、マイクロ−ハイブリッド型複合材からなる少なくとも１つの第１層（１２ａ）を塗布する前の前記爪（Ｕ）への塗布の後に、少なくとも２０秒間乾燥させるために放置させる、請求項８、９、１０または１１に記載の自然の爪の上に付け爪を成形する方法。
【発明の詳細な説明】
【技術分野】
【０００１】
本発明の目的は、付け爪および自然の爪に付け爪を成形する方法からなる。
【０００２】
本発明は、マニキュア、足治療、足学、皮膚科学の分野、および、一般に付け爪の成形または自然の爪のカバーに関するいかなる分野にも適用される。
【背景技術】
【０００３】
足および手の両方の人工爪の成形または自然の爪のカバーは、美しさが増すかどうかにかかわらず、どんな理由にせよ爪に損傷を与えるので、したがって保護カバーを提供する現在の標準的技法である。
【０００４】
損傷した爪の場合には、それらを付け爪でカバーしてそれらの美しさを向上することは、その自己硬化を伴うことができる保護を提供する。
【０００５】
現在、爪に損傷を与えたとき、付け爪を付けるか、またはゲル、アクリル、もしくは磁器を使用してカバーする技術が使用されている。また、リネンまたは絹がカバーまたは装飾的要素として使用されるが、それらは付けるのが難しく非常に高価である。
【先行技術文献】
【特許文献】
【０００６】
【特許文献１】国際公開第００／７６３６６号
【特許文献２】独国特許出願公開第１０２０１３０１６０１３号明細書
【発明の概要】
【発明が解決しようとする課題】
【０００７】
ジェル、ゲル、および樹脂によってカバーすることは、施工および美的視点から得られる成果の観点から両方ともある種の欠点を有する。
【０００８】
具体的には、爪をカバーするために使用するゲルは、以下の欠点を有する：
−ゲルは低い粘度および密度を有し、そのためゲルは容易に損傷を受ける；
−ゲルは低い艶出し能力を有し、取り扱いが困難な場合がある；
−ゲルは不均一な密度および色を有し、そのためカバーした爪に常に塗らなければならないので、付け爪は見てすぐにわからない；
−ゲルは、高い皮膚吸収率を有する；
−ゲルは、爪と接触する対象物にシミを付けることができる；
−ゲルは、適切な乾燥を確保するための比較的長い約５分もの時間を必要とする；
−問題が発生した場合、ゲルを除去するために、ゲルが柔らかくなるまで、ゲルを浸漬しなければならず、爪およびゲルカバーによって形成した凝固部を分離しなければならない。
【０００９】
アクリルの誤った使用は、爪の成長を阻止する場合がある。さらに、アクリルは化学的重合（硬化）を必要とし、２つの構成成分を混合しなければならないので、化学的重合はアクリルを扱うのを困難にする；上記混合物は、その軟塊に空気の入り口を発生させ、したがって多孔質を作り出す。反応時間（３〜５分）を追加しければならないのに加えて、ゲルネイルに対する移り変わりの変化を説明する別の欠点として、施工およびアセトン中での２０分間の除去中に両方とも強烈なアクリル臭の存在がある。最終的な成果物は、特性の観点からすると不安定な生成物である。
【００１０】
ゲルネイル（オリゴマ）は、その多孔質を減らして、より輝く最終的な外観を提供するために、アクリルに通常塗布され、硬化する紫外線（Ｘ線に最も近い周波数のスペクトル）にさらすことを必要とし、その長期照射（３〜５分）のために皮膚に火傷を引き起こす場合がある。ゲルは、すでに爪表面に取り付けられるプラスチック媒体に塗布される場合もある；しかし、この接着剤は、アクシデントが生じた場合、それが接着した自然の爪を引き剥がすことになる欠点を有する。それを除去するには、長く念入りなやすり掛けが必要とされる。そして、それをネイルポリッシュによってペイントしなければならないので、明らかに付け爪には見えない。
【００１１】
ゲルネイルを付けるための樹脂の使用は、以下のような樹脂の欠点も有する：樹脂はめまいが生じるエタノールを含むので、それを扱う仕事は非常に不快感を与え；樹脂は比較的長い乾燥時間（３〜４分）を必要とし、かつ、それはカバーの構成成分である。
【００１２】
アクリルおよびゲルネイルの使用は、放射線療法、糖尿病、または抗生物質の使用の場合には、使用に対して禁忌を有する。
【００１３】
自然の爪に付け爪を成形するプロセスは、国際公開第００／７６３６６Ａ１号（特許文献１）によっても公知である。当該明細書に記載されているプロセスは、ベースカバー剤を爪に塗布すること、続いて上記ベースカバー剤に光重合樹脂を積層すること、および、最後に、例えばＬＥＤ光源を用いて、可視光線を当てることによって樹脂を硬化し続けることを含む。
【００１４】
しかしながら、速乾性（１分未満）のベースカバー剤は提唱されておらず、当該方法の施工を長引かせることになる。上記試剤が耐水性であることも提案されておらず、そのために爪のポリマー接着剤層上に細菌コロニーの成長の危険性がある。
【００１５】
加えて、当該明細書において使用されている樹脂は、充填剤粒子を欠いた樹脂である。これによって、重合中の大きな収縮および破砕に対する弱い抵抗力が生じる。
【００１６】
独国特許出願公開第１０２０１３０１６０１３号明細書（特許文献２）には、光重合ネイルポリッシュが記載され、また公知である。しかしながら、当該明細書では、上記ネイルポリッシュが紫外線下で重合され、それは可視光よりむしろ有害である。それゆえに、対象とされる技術的問題は、現在使用されるゲルネイルに対して明らかに有利な特徴を有する付け爪を使用し、付け爪の本体に上記の有利な特徴を付与する特定材料を使用する自然の爪の復元および／またはカバー技術の改善である。
【課題を解決するための手段】
【００１７】
本発明の目的である付け爪は、厳密に言えば付け爪の本体を形成する表層、および付け爪の本体を自然の爪に取り付けるための裏層を備え、裏層は乾燥能力を備えた速乾性ポリマー接着剤によって形成されるといった特色を有し；付け爪の表層は複合材でできており、ポリマー接着剤と接触して弱い収縮能力を有する少なくともマイクロ−ハイブリッド型複合材の第１層を備える。
【００１８】
上述したマイクロ−ハイブリッド型複合材は、歯の復元のために歯科医学のような、他の技術分野で使用される種類のものでもよい。
【００１９】
当業者は、マイクロ−ハイブリッド型複合材がその特性を高める樹脂および充填剤粒子の混合物からなり、典型的には大きさが１ｐｍ以下の充填剤粒子であるということを知ることになる。この種類のいくつかの製品では、上記粒子はガラスである。
【００２０】
マイクロ−ハイブリッド型複合材の使用は、付け爪に現在使用されるゲルネイルに対して明らかに有利な特徴を与え、すなわち：
−爪の本体を成形するときに、取り扱いを容易にするより大きな粘度および密度と；
−付け爪を塗る必要がないように、複合材を別々の色の集まりで製造できるので、爪の本体に完璧な仕上がりを与えることと；
−現行の付け爪のゲルよりも大きな硬度、結果的には高い艶出し能力と；
−非常に小さな皮膚吸収率と；
−シミを付けないことと；
−約２０秒のゲルより短い硬化時間と；
−ダイヤモンドイガを使用する除去の容易さと；
−審美的に高められた外観と；
−利用者の自然の爪に関するいかなる問題の場合にも疑似複合爪の本体を除去する可能性とを含んでいる。
【００２１】
本発明の一実施形態では、付け爪の表層は、マイクロ−もしくはナノ−ハイブリッド型液状またはペースト状複合材の第２層を備え；上記第２層は、好ましくは着色したマイクロ−ハイブリッド型ペースト状複合材でもよいことを想定している。
【００２２】
爪をカバーするための複合材は、液体構成およびペースト状構成において両方とも、マイクロ−またはナノ−ハイブリッド型でもよく、充填材充填分子に応じて、そこから本ポリマーは化学的に形成され；ペースト状構成は、その光重合（硬化）の間、液体構成よりも大きな収縮を有する。
【００２３】
上記複合材料はマイクロ色素で着色されてもよく、それらの光重合はＬＥＤ型の青い可視光ビームを用いて２０秒間実施される。
【００２４】
付け爪を、定期的に修正することができ、例えば爪の成長に応じて３ヵ月毎に、非常に微細な粒子の研磨ストリップを使用して、綿または剛毛ブラシで艶出しを行い、ポリッシングコンパウンドを塗布する。
【００２５】
上記付け爪は、ダイヤモンドもしくはルビーのいがを備えたバーリングを用いて、または爪切りばさみによって除去される。
アクシデントが生じた場合、複合材は壊されることになり、自然の爪に影響を及ぼすことなく自然の爪からそれ自体を取り外す。
【００２６】
複合材料の最終的な仕上げは、自然の爪として同様に何の問題もなく行うことができるが、ラッカーを用いて色づける必要はない。
【００２７】
利用者の自然の爪に付け爪の複合材本体の適切な取り付けを実現するために、ゲルネイルを取り付けるのに使用される樹脂の代わりに、一連の利点を有するポリマー接着剤の使用が想定され、すなわち：
−ポリマー接着剤は、耐水性であり、
−ポリマー接着剤は、約２０秒のより短い乾燥時間を有し、
−ポリマー接着剤は、接触製品であることを含んでいる。
【００２８】
本発明では、自然の爪に本発明の付け爪を成形する方法が挙げられ、以下の段階を含む：
−やすり掛けによるカバーされる爪の表面の最終的な前処理；
−付け爪の裏層を形成する乾燥能力を備えた速乾性ポリマー接着剤の爪の塗布；
−付け爪の表層の一部を形成するポリマー接着剤からなる裏層上でのマイクロ−ハイブリッド型複合材からなる少なくとも１つの第１層の塗布；
−マイクロ−ハイブリッド型複合材からなる上記第１層の光重合；
−マイクロ−ハイブリッド型複合材からなる上記第１層上でのマイクロ−もしくはナノ−ハイブリッド型液状またはペースト状複合材からなる第２層の最終的な塗布；および、その光硬化、
−やすり掛け、艶出し、および／またはその表面上の絵付けによる付け爪の表層の最終的な仕上げ。
【００２９】
好ましくは、ポリマー接着剤は、マイクロ−ハイブリッド型複合材からなる少なくとも１つの第１層の塗布前に、爪に対して塗布した後に約２０秒間乾燥するために放っておかれる。
【００３０】
好ましくは、ポリマー接着剤は、それが可視光下で光重合により、素早く、すなわち３０秒未満で重合させるように選択されることになる。例えば、ＬＥＤランプまたは同様のランプによって可視光下で当てられる。
【００３１】
最後に、本発明の別の目的は、付け爪の複合材の使用である点に留意する必要がある。なされている説明の補足として、より容易に本発明の特徴を理解できるようにするのを助けるために、本明細書には一連の図面が付随し、図を通じて限定せずに以下に表す。
【図面の簡単な説明】
【００３２】
【図１ａ】本発明による自然の爪をカバーする方法、厳密に言えば、速乾性コンタクト型接着材からなる裏層、および付け爪の本体を構成する複合材料からなる表層を備えた人工爪を形成する方法に関する連続した局面の概略図を示す。
【図１ｂ】本発明による自然の爪をカバーする方法、厳密に言えば、速乾性コンタクト型接着材からなる裏層、および付け爪の本体を構成する複合材料からなる表層を備えた人工爪を形成する方法に関する連続した局面の概略図を示す。
【図１ｃ】本発明による自然の爪をカバーする方法、厳密に言えば、速乾性コンタクト型接着材からなる裏層、および付け爪の本体を構成する複合材料からなる表層を備えた人工爪を形成する方法に関する連続した局面の概略図を示す。
【図１ｄ】本発明による自然の爪をカバーする方法、厳密に言えば、速乾性コンタクト型接着材からなる裏層、および付け爪の本体を構成する複合材料からなる表層を備えた人工爪を形成する方法に関する連続した局面の概略図を示す。
【図１ｅ】本発明による自然の爪をカバーする方法、厳密に言えば、速乾性コンタクト型接着材からなる裏層、および付け爪の本体を構成する複合材料からなる表層を備えた人工爪を形成する方法に関する連続した局面の概略図を示す。
【図２】本発明による付け爪の断面図を示す。
【発明を実施するための形態】
【００３３】
添付の図面に示すように、図１ａに示される自然の爪に本発明の付け爪を成形し、自然の爪（Ｕ）をカバーするには、以下の作業が必要とされる：最初に、カバーされる爪（Ｕ）の表面は、やすり掛けによって整えられ、図１ｂに示すように、そこに十分な表面を画成してカバーを開始し；次に、可視光の影響下で重合して乾燥する能力を備えた速乾性ポリマー接着剤を爪（Ｕ）に塗布し、図（１ｃ）に示すように付け爪の裏層（１１）を形成し；次に、付け爪（１）の表層（１２）の一部を形成するマイクロ−ハイブリッド型複合材からなる第１層（１２ａ）を、複合材料（図１ｄ）からなる上記第１層（１２ａ）を光重合する前に、ポリマー接着剤からなる裏層（１１）の上に塗布し；次に、図（１ｄ）に示すように、マイクロ−またはナノ−ハイブリッド型液状複合材からなる第２の層（１２ｂ）を、上記第１層（１２ａ）の上に塗布し；それを光重合する。
【００３４】
最後に、付け爪（１）の表層（１２）は、その美的仕上がりを高めるために、やすり掛け、艶出し、および／または表面ペインティングによって仕上げられる。
【００３５】
この実施形態の実施例において、ポリマー接着剤は、裏層（１１）を形成するために爪または爪床に最初に使用され、エナメル質ぞうげ質の特徴、ポリマー接着剤を液化する脂肪族ジアクリレートと混合したベンゼン基を含有する芳香族ジアクリレート、および親水性分子を備えたポリマー接着剤である。このポリマー接着剤（例えば、Ｓｕｐｒａｎａｎ）は、可視光下で光重合（５秒）させることができ、またはぜずともよく、かつ高い乾燥力を有する。
【００３６】
表層の第１層（１２ａ）は、マイクロ−ハイブリッド型ペースト状複合材（収縮力が少なく、接着剤の機能に対する影響が少ない）であり、第２層（１２ｂ）は、２０秒で光硬化するナノ−ハイブリッド型液状複合材である。
【００３７】
得られる爪の質感に応じた、付け爪の表層（１２）を形成する複合材による２回の塗布において、複合材を光重合する共に、ＰＶＣテープで複合材を圧縮することによって強固にできる。
【００３８】
図２において、得られ、かつ単独で図によって表された付け爪（１）は、接着剤からなる裏層（１１）、および付け爪（１）の本体を形成し、複合材からなる第１層（１２ａ）および第２層（１２ｂ）から構成される複合材の表層（１２）を備える。
【００３９】
実施形態の好適な実施例に加えて、本発明の内容を十分に記載してきたが、記載されている要素の材料、形状、大きさ、および配置を修正できることは、関連した目的として本明細書に述べられ、但し、以下で請求される本発明の基本的特徴の変更を伴うことはない。
【図１ａ】
2020509900.tif 000003
【図１ｂ】
2020509900.tif 000004
【図１ｃ】
2020509900.tif 000005
【図１ｄ】
2020509900.tif 000006
【図１ｅ】
2020509900.tif 000007
【図２】
2020509900.tif 000008
【国際調査報告】
2020509900.tif 000009
2020509900.tif 000010
2020509900.tif 000011
2020509900.tif 000012
2020509900.tif 000013
2020509900.tif 000014
2020509900.tif 000015
2020509900.tif 000016